【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】
ボード部への書き込みに応じた座標データを、受信した座標データに基づく画像を表示する外部コンピュータに送信する電子ボード装置であって、
前記ボード部へ書き込まれた画像の座標データを作成する作成手段と、
前記ボード部への書き込みに応じて、前記外部コンピュータが座標データを受付可能か否かを判定する判定手段と、
前記外部コンピュータが座標データを受付可能でないと判定される期間における前記ボード部への第１の書き込みに応じて前記作成手段により作成された座標データを格納する格納手段と、
前記ボード部への書き込みに応じた座標データに基づく画像を表示する表示手段と、
前記ボード部への第２の書き込みに応じて、前記外部コンピュータが座標データを受付可能であると判定され、且つ、前記外部コンピュータが座標データを受付可能でないと判定される期間における前記ボード部への第１の書き込みに応じて作成された座標データが前記格納手段に格納されていると判定されると、当該格納されている座標データと前記第２の書き込みに応じて作成された座標データとを、前記受信した座標データに基づく画像を表示する外部コンピュータに送信する送信手段と、
を有することを特徴とする電子ボード装置。
【請求項２】
前記外部コンピュータが、座標データを受付可能であると判定され、且つ、前記格納手段に座標データが格納されていない場合、前記作成された座標データを前記格納手段に格納せずに前記外部コンピュータに送信することを特徴とする請求項１に記載の電子ボード装置。
【請求項３】
前記座標データに基づく画像を所定の単位で表示できるように、前記格納手段に格納される前記座標データに、ページ区切りを示すインデックス情報を付加する付加手段を有することを特徴とする請求項１に記載の電子ボード装置。
【請求項４】
前記格納手段は、取り外し可能なメモリカードであることを特徴とする請求項１に記載の電子ボード装置。
【請求項５】
ボード部への書き込みに応じた座標データを、受信した座標データに基づく画像を表示する外部コンピュータに送信する電子ボード装置であって、
前記ボード部への書き込みに応じて、前記外部コンピュータが座標データを受付可能か否かを判定する判定手段と、
前記外部コンピュータが座標データを受付可能でないと判定された期間における前記ボード部への書き込みに応じた座標データを格納する格納手段と、
前記画像を表示する表示手段と、
前記ボード部への書き込みに応じた座標データに基づく画像を表示する第１のモードと、前記格納手段に格納されている座標データに基づく画像を表示する第２のモードとを切り替える切替手段と、
座標データを前記外部コンピュータに送信するタイミングを制御する送信制御手段と、を備え、
前記表示手段は、
前記第１のモードであると判断され、且つ、前記ボード部へ書き込みがなされると、前記ボード部への書き込みに応じた座標データに基づく画像を表示し、
前記第２のモードであると判断され、且つ、前記外部コンピュータが座標データを受付可能でないと判定された期間における書き込みに応じた座標データが前記格納手段に格納されていると判定されると、前記格納手段に格納された座標データに基づく画像を表示することを特徴とする電子ボード装置。
【請求項６】
ボード部への書き込みに応じた座標データを、受信した座標データに基づく画像を表示する外部コンピュータに送信する電子ボード装置のデータ処理方法であって、
前記ボード部へ書き込まれた画像の座標データを作成する作成工程と、
前記ボード部への書き込みに応じて、前記外部コンピュータが座標データを受付可能か否かを判定する判定工程と、
前記外部コンピュータが座標データを受付可能でないと判定される期間における前記ボード部への第１の書き込みに応じて前記作成工程により作成された座標データを前記電子ボード装置に設けた格納手段に格納する格納工程と、
前記ボード部への書き込みに応じた座標データに基づく画像を前記電子ボード装置に設けた表示手段に表示させる表示工程と、
前記ボード部への第２の書き込みに応じて、前記外部コンピュータが座標データを受付可能であると判定され、且つ、前記外部コンピュータが座標データを受付可能でないと判定される期間における前記ボード部への第１の書き込みに応じて作成された座標データが前記格納手段に格納されていると判定されると、当該格納されている座標データと前記第２の書き込みに応じて作成された座標データとを、前記受信した座標データに基づく画像を表示する外部コンピュータに送信する送信工程と、
を有することを特徴とする電子ボード装置のデータ処理方法。
【手続補正２】
【補正対象書類名】明細書
【補正対象項目名】０００９
【補正方法】変更
【補正の内容】
【０００９】
【課題を解決するための手段】
本発明によれば、ボード部への書き込みに応じた座標データを、受信した座標データに基づく画像を表示する外部コンピュータに送信する電子ボード装置であって、前記ボード部へ書き込まれた画像の座標データを作成する作成手段と、前記ボード部への書き込みに応じて、前記外部コンピュータが座標データを受付可能か否かを判定する判定手段と、前記外部コンピュータが座標データを受付可能でないと判定される期間における前記ボード部への第１の書き込みに応じて前記作成手段により作成された座標データを格納する格納手段と、前記ボード部への書き込みに応じた座標データに基づく画像を表示する表示手段と、前記ボード部への第２の書き込みに応じて、前記外部コンピュータが座標データを受付可能であると判定され、且つ、前記外部コンピュータが座標データを受付可能でないと判定される期間における前記ボード部への第１の書き込みに応じて作成された座標データが前記格納手段に格納されていると判定されると、当該格納されている座標データと前記第２の書き込みに応じて作成された座標データとを、前記受信した座標データに基づく画像を表示する外部コンピュータに送信する送信手段と、を有することを特徴とする電子ボード装置が提供される。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、本発明によれば、ボード部への書き込みに応じた座標データを、受信した座標データに基づく画像を表示する外部コンピュータに送信する電子ボード装置であって、前記ボード部への書き込みに応じて、前記外部コンピュータが座標データを受付可能か否かを判定する判定手段と、前記外部コンピュータが座標データを受付可能でないと判定された期間における前記ボード部への書き込みに応じた座標データを格納する格納手段と、前記画像を表示する表示手段と、前記ボード部への書き込みに応じた座標データに基づく画像を表示する第１のモードと、前記格納手段に格納されている座標データに基づく画像を表示する第２のモードとを切り替える切替手段と、座標データを前記外部コンピュータに送信するタイミングを制御する送信制御手段と、を備え、前記表示手段は、前記第１のモードであると判断され、且つ、前記ボード部へ書き込みがなされると、前記ボード部への書き込みに応じた座標データに基づく画像を表示し、前記第２のモードであると判断され、且つ、前記外部コンピュータが座標データを受付可能でないと判定された期間における書き込みに応じた座標データが前記格納手段に格納されていると判定されると、前記格納手段に格納された座標データに基づく画像を表示することを特徴とする電子ボード装置が提供される。
【手続補正５】
【補正対象書類名】明細書
【補正対象項目名】００１２
【補正方法】変更
【補正の内容】
【００１２】
また、本発明によれば、ボード部への書き込みに応じた座標データを、受信した座標データに基づく画像を表示する外部コンピュータに送信する電子ボード装置のデータ処理方法であって、前記ボード部へ書き込まれた画像の座標データを作成する作成工程と、前記ボード部への書き込みに応じて、前記外部コンピュータが座標データを受付可能か否かを判定する判定工程と、前記外部コンピュータが座標データを受付可能でないと判定される期間における前記ボード部への第１の書き込みに応じて前記作成工程により作成された座標データを前記電子ボード装置に設けた格納手段に格納する格納工程と、前記ボード部への書き込みに応じた座標データに基づく画像を前記電子ボード装置に設けた表示手段に表示させる表示工程と、前記ボード部への第２の書き込みに応じて、前記外部コンピュータが座標データを受付可能であると判定され、且つ、前記外部コンピュータが座標データを受付可能でないと判定される期間における前記ボード部への第１の書き込みに応じて作成された座標データが前記格納手段に格納されていると判定されると、当該格納されている座標データと前記第２の書き込みに応じて作成された座標データとを、前記受信した座標データに基づく画像を表示する外部コンピュータに送信する送信工程と、を有することを特徴とする電子ボード装置のデータ処理方法が提供される。
【手続補正６】
【補正対象書類名】明細書
【補正対象項目名】００１３
【補正方法】削除
【補正の内容】
【手続補正７】
【補正対象書類名】明細書
【補正対象項目名】００２６
【補正方法】変更
【補正の内容】
【００２６】
ここで、外部コンピュータ３０の電源が入っていないことが検出された場合、ステップＳ３へ進み、データの受付が可能でないと判定し、座標検出デバイス２１で作成された座標データをＲＡＭ２５へ格納してステップＳ１へ戻る。
【手続補正８】
【補正対象書類名】明細書
【補正対象項目名】００７０
【補正方法】変更
【補正の内容】
【００７０】
また、他の本発明によれば、データの転送先のパソコンの表示画面を見ることなく、入力した手書き画像を確認することができる。
また、他の本発明によれば、電子ボード装置に格納された座標データに応じた画像を確認してから、座標データをデータの転送先のパソコンに送信できる。